(57)【要約】【課題】屋根の上で作業する際にその上に乗っても滑りにくい屋根瓦を提供すること。【解決手段】屋根の桁行き方向及び屋根の流れ方向においてオーバーラップさせるとともに、屋根の流れ方向において下位に配置される瓦同士の前記両側縁部のオーバーラップ部が上位の瓦の桁行き方向略中央に配置されるように千鳥状に葺き上げられる屋根瓦１であって、屋根瓦１の瓦本体３の上面に同瓦本体３と一体的に複数の球状突起１３を点在させて形成するとともに、少なくとも屋根の桁行き方向における前記瓦本体１３の略中央位置には同球状突起１３を屋根の流れ方向に沿って直列に配置させるようにした。これによって桁行き方左右の瓦のオーバーラップ部に上位に配置される瓦から流下する雨水が流れ込みにくくなる。【選択図】      図１
2007046401.tif 000002
【特許請求の範囲】
【請求項１】
屋根の桁行き方向においては先行して葺かれた瓦の衿側或いは桟側の側縁部に対して当該瓦の衿側或いは桟側をいずれか一方の瓦の衿側の側縁部が下面となるように順にオーバーラップさせて配置するとともに、屋根の流れ方向においては当該瓦の頭側を先行して葺かれた瓦の尻側上面に順にオーバーラップさせて配置するようにした屋根瓦において、
前記屋根瓦の瓦本体の上面に同瓦本体と一体的に複数の突起体を点在形成したことを特徴とする屋根瓦。
【請求項２】
複数の前記突起体を桁行き方向に延出される仮想直線に対し交差する方向において直列に配置させ、同瓦本体の上面に直列に配置された突起体の列を複数配列させるようにしたことを特徴とする請求項１に記載の屋根瓦。
【請求項３】
前記複数の突起体はすべて同高さに突起していることを特徴とする請求項１又は２に記載の屋根瓦。
【請求項４】
前記複数の突起体はすべて同形状に形成されていることを特徴とする請求項１〜３のいずれかに記載の屋根瓦。
【請求項５】
屋根の桁行き方向においては先行して葺かれた瓦の衿側或いは桟側の側縁部に対して当該瓦の衿側或いは桟側をいずれか一方の瓦の衿側の側縁部が下面となるように順にオーバーラップさせて配置するとともに、屋根の流れ方向においては当該瓦の頭側を先行して葺かれた瓦の尻側上面に順にオーバーラップさせて配置するようにした屋根瓦であって、敷設した際に屋根の流れ方向において下位に配置される瓦同士の前記両側縁部のオーバーラップ部が上位の瓦の桁行き方向略中央に配置されるように千鳥状に葺き上げられる屋根瓦において、
前記屋根瓦の瓦本体の上面に同瓦本体と一体的に複数の突起体を点在形成するとともに、少なくとも屋根の桁行き方向における前記瓦本体の略中央位置には同複数の突起体を屋根の流れ方向に沿って直列に配置させるようにしたことを特徴とする屋根瓦。
【請求項６】
前記複数の前記突起体を桁行き方向に延出される仮想直線に対し交差する方向において直列に配置させ、同瓦本体の上面に直列に配置された突起体の列を複数配列させるようにしたことを特徴とする請求項５に記載の屋根瓦。
【請求項７】
前記瓦本体の上面であって前記側端部寄りには屋根の流れ方向に沿って上方に隆起した隆起部を同瓦本体と一体的に形成するようにしたことを特徴とする請求項５又は６に記載の屋根瓦。
【請求項８】
前記瓦本体の桁行き方向中央を含む領域であって前記頭側先端寄りには上方に隆起した隆起部を同瓦本体と一体的に形成するようにしたことを特徴とする請求項５〜７のいずれかに記載の屋根瓦。
【請求項９】
前記瓦本体の略中央位置に配置される列の最前部の突起体の前方位置には流下してくる水を外方に導く補助突起体を同瓦本体と一体的に形成するようにしたことを特徴とする請求項５〜８のいずれかに記載の屋根瓦。
【発明の詳細な説明】
【技術分野】
【０００１】
本発明は、建築構造物の屋根仕上げに使用される各種屋根瓦に関するものである。
【背景技術】
【０００２】
一般に木造建築においては屋根に勾配が設けられている。そして勾配がきつい（急傾斜であること）ほど雨水は瓦の裏に回りにくく、いわゆる雨仕舞いのよい家といわれる。屋根の瓦葺き工事においてはこの勾配面に対して瓦を屋根の桁行き方向及び屋根の流れ方向にオーバーラップさせることで（屋根の流れ方向では棟側の瓦を軒側の瓦の上にオーバーラップさせる必要がある）屋根瓦の隙間からの雨水の浸入を防止するようになっている。
【特許文献１】特開平１０−１１３２０１号公報
【特許文献２】特開平４−２５０２６０号公報
【発明の開示】
【発明が解決しようとする課題】
【０００３】
このように屋根には勾配があるため屋根に登って行う作業、例えば瓦の葺き代えや漆喰の塗り替え等の作業においては屋根職は傾斜した瓦の上で作業をしなければならず、滑らないように慎重に行動することが求められている。しかし、従来では滑らないようにする工夫は特許文献１に示すようにもっぱら靴に滑り止めの工夫をしたり、特許文献２に示すように屋根作業に伴って屋根に上げられる脚立やバケツが転がり落ちないような工夫がされるだけで、瓦自体に積極的に屋根職が作業しやすくなるような滑り止めの工夫を施したものはなかった。
本発明はこのような従来の技術に存在する問題点に着目してなされたものである。その目的とするところは、屋根の上で作業する際にその上に乗っても滑りにくい屋根瓦を提供することである。
【課題を解決するための手段】
【０００４】
上記の目的を達成するために請求項１に記載の発明では、屋根の桁行き方向においては先行して葺かれた瓦の衿側或いは桟側の側縁部に対して当該瓦の衿側或いは桟側をいずれか一方の瓦の衿側の側縁部が下面となるように順にオーバーラップさせて配置するとともに、屋根の流れ方向においては当該瓦の頭側を先行して葺かれた瓦の尻側上面に順にオーバーラップさせて配置するようにした屋根瓦において、前記屋根瓦の瓦本体の上面に同瓦本体と一体的に複数の突起体を点在形成したことをその要旨とする。
本発明の屋根瓦は瓦本体の上面に同瓦本体と一体的に複数の突起体が点在して形成されている。そのため、瓦本体の上面を足がかりとして屋根作業する際に足袋や靴の裏が点在して形成された突起体に食い込むこととなって滑りにくくなり、屋根の上での作業がしやすくなる。
【０００５】
また、請求項２に記載の発明では請求項１に記載の発明の構成に加え、複数の前記突起体を桁行き方向に延出される仮想直線に対し交差する方向において直列に配置させ、同瓦本体の上面に直列に配置された突起体の列を複数配列させるようにしたことをその要旨とする。
屋根に突起体を点在させることによって瓦に降った雨水がこれら突起体に邪魔されて速やかに瓦の上面を流れ落ちて行かないという不具合が生じる可能性がある。そのため突起体を桁行き方向に延出される仮想直線に対し交差する方向において直列に配置させることによって隣接する列の間に雨水の流れる通路（雨水流路）を形成させるというものである。これによって雨水は速やかに流下する。従って、突起体は屋根の流れ方向において直列に配置しさえすれば屋根の桁行き方向については必ずしも整列する必要はない。また、突起の形状はすべて同形状でも、異なる形状が混在していても構わない。「桁行き方向に延出される仮想直線に対し交差する方向」としたのは突起体の列自体は必ずしも屋根の流れ方向に正確に沿っていなくともよいことを意味する（但し、交差は直交することがより好ましい）。突起体の列が屋根の流れ方向に対して多少角度を持っていても雨水が速やかに流下する雨水流路を形成しうるからである。また、直列は直線状であることに限定されるものではない。
【０００６】
また、請求項３に記載の発明では請求項１又は２に記載の発明の構成に加え、前記複数の突起体はすべて同高さに突起していることをその要旨とする。
これによって上記作用に加え、突起体の高さが均等であるため一部の突起体だけ深く食い込んだり、逆に高さの低い突起が食い込まなかったりすることがなく、すべての突起体が均等に足袋や靴の裏に当接し滑り止めの役割を果たすことになるため屋根の上での作業がしやすくなる。
また、請求項４に記載の発明では請求項１〜３のいずれかに記載の発明の構成に加え、前記複数の突起体はすべて同形状に形成されていることをその要旨とする。
これによって上記作用に加え、突起体の高さが均等となるとともに、足裏に当たるすべての突起体の押圧力が同じになるので、足裏はあまりでこぼこした感じを受けなくなり歩きやすくなる。
【０００７】
また、請求項５に記載の発明では、屋根の桁行き方向においては先行して葺かれた瓦の衿側或いは桟側の側縁部に対して当該瓦の衿側或いは桟側をいずれか一方の瓦の衿側の側縁部が下面となるように順にオーバーラップさせて配置するとともに、屋根の流れ方向においては当該瓦の頭側を先行して葺かれた瓦の尻側上面に順にオーバーラップさせて配置するようにした屋根瓦であって、敷設した際に屋根の流れ方向において下位に配置される瓦同士の前記両側縁部のオーバーラップ部が上位の瓦の桁行き方向略中央に配置されるように千鳥状に葺き上げられる屋根瓦において、前記屋根瓦の瓦本体の上面に同瓦本体と一体的に複数の突起体を点在させて形成するとともに、少なくとも屋根の桁行き方向における前記瓦本体の略中央位置には同複数の突起体を屋根の流れ方向に沿って直列に配置させるようにしたことをその要旨とする。
つまり、請求項５に記載の発明でも上記と同様に屋根瓦に突起体を点在させることによって、瓦本体の上面を足がかりとして屋根作業する際に足袋や靴の裏が点在して形成された突起体に食い込むこととなって滑りにくくなり、屋根の上での作業がしやすくなる。しかし、請求項５の屋根瓦では前提として敷設した際に屋根の流れ方向において上位に配置される瓦同士の前記両側縁部のオーバーラップ部が下位の瓦の桁行き方向略中央に配置されるように千鳥状に葺き上げられることとなっている。そのため、当該瓦の雨水流路を流れてくる雨水が当該瓦の軒側（下側）に配置された瓦のオーバーラップ部にかかるとオーバーラップ部から雨水が浸入する可能性がある。
そのため請求項５の発明では、当該瓦の軒側（下側）に配置された瓦のオーバーラップ部位置に当該瓦の雨水流路が配置されないように、屋根の桁行き方向における前記瓦本体の略中央位置に同複数の突起体を屋根の流れ方向に沿って直列に配置させるようにしている。これによって、オーバーラップ部と雨水流路とがずれた位置に配置されることとなり、雨水流路を流れる雨水がオーバーラップ部にかかることがなくなる。また、直列は直線状であることに限定されるものではない。
【０００８】
また、請求項６に記載の発明では請求項５に記載の発明の構成に加え、前記複数の前記突起体を桁行き方向に延出される仮想直線に対し交差する方向において直列に配置させ、同瓦本体の上面に直列に配置された突起体の列を複数配列させるようにしたことをその要旨とする。
このように突起体を桁行き方向に延出される仮想直線に対し交差する方向において直列に配置させることによって隣接する列の間に雨水の流れる通路（雨水流路）を形成させるというものである。これによって雨水は速やかに流下する。従って、突起体は屋根の流れ方向において直列に配置しさえすれば屋根の桁行き方向については必ずしも整列する必要はない。また、突起の形状はすべて同形状でも、異なる形状が混在していても構わない。「桁行き方向に延出される仮想直線に対し交差する方向」としたのは突起体の列自体は必ずしも屋根の流れ方向に正確に沿っていなくとも雨水が速やかに流下する雨水流路を形成しうるからである（但し、交差は直交することがより好ましい）。
また、請求項７に記載の発明では請求項５又は６に記載の発明の構成に加え、前記瓦本体の上面であって前記側端部寄りには屋根の流れ方向に沿って上方に隆起した隆起部を同瓦本体と一体的に形成するようにしたことをその要旨とする。
このような構成では上記作用に加え、側端部寄りに形成した隆起部が一種の土手となって瓦本体上の雨水が脇にそれるのを防止する役割を果たすため、瓦本体上面を流下する雨水が瓦本体からそれて当該瓦と桁行き方向でオーバーラップする隣接した瓦とのオーバーラップ部方向に流れ込みにくくなる。
ここに、隆起部は瓦の尻部から頭部にかけて全域に形成する必要はない。尻部寄りは屋根の流れ方向においてオーバーラップさせるためにこのような隆起部がないほうが好ましい。
【０００９】
また、請求項８に記載の発明では請求項５〜７のいずれかに記載の発明の構成に加え、前記瓦本体の桁行き方向中央を含む領域であって前記頭側先端寄りには上方に隆起した隆起部を同瓦本体と一体的に形成するようにしたことをその要旨とする。
このような構成では上記作用に加え、隆起部が一種の土手となって瓦本体上の雨水が瓦本体の桁行き方向略中央から脇にそらせる役割を果たすため、瓦本体上面を流下する雨水は極力当該瓦の軒側（下側）に配置された瓦のオーバーラップ部位置に雨水がかからないようになる。
また、請求項９に記載の発明では請求項５〜９のいずれかに記載の発明の構成に加え、前記瓦本体の略中央位置に配置される列の最前部の突起体の前方位置には流下してくる水を外方に導く補助突起体を同瓦本体と一体的に形成するようにしたことをその要旨とする。
このような構成では上記作用に加え、補助突起体が一種の土手となって瓦本体上の雨水が瓦本体の桁行き方向略中央から脇にそらせる役割を果たすため、瓦本体上面を流下する雨水は極力当該瓦の軒側（下側）に配置された瓦のオーバーラップ部位置に雨水がかからないようになる。
ここに、突起体の前方位置における「前方」とは屋根瓦を敷設した状態における当該瓦の軒側（下側）を意味する。
【発明の効果】
【００１０】
上記請求項１〜４の発明によれば、瓦本体の上面を足がかりとして屋根作業する際に足袋や靴の裏が点在して形成された突起体に食い込むこととなって滑りにくくなり、屋根の上での作業がしやすくなる。
また、上記請求項５〜９の発明によれば、瓦本体の上面を足がかりとして屋根作業する際に足袋や靴の裏が点在して形成された突起体に食い込むこととなって滑りにくくなり、屋根の上での作業がしやすくなるとともに、複数の突起体の列のうち、１つを屋根の桁行き方向における前記瓦本体の略中央位置に配置させるようにしたことによって、屋根の流れ方向において千鳥状に葺かれた瓦のオーバーラップ部と雨水流路とがずれた位置に配置されることとなり、雨水流路を流れる雨水がオーバーラップ部にかかることがなくなる。
【発明を実施するための最良の形態】
【００１１】
以下、本発明の実施の形態について図面に基づいて説明する。尚、以下の説明において左右と言う場合は屋根瓦を葺いた状態における桁行き方向をいうものとする。また、屋根の流れ方向における軒側を前又は下とし、棟側を後又は上とするものとする。
図１に示すように、屋根瓦としての本実施の形態１の平瓦１は平面略正方形形状をなした焼結形成された粘土製の板体とされている。平瓦１は大きく分けて瓦本体３と瓦本体３の一方の側部に張り出し形成された雨水流下部４とから構成されている。本実施の形態では雨水流下部４は同時に衿側の側縁部５とされている。瓦本体３における雨水流下部４が形成された側部と反対側の側部は桟側の側縁部６とされている。桟側の側縁部６は瓦本体３の一部であって瓦本体３を上方から目視した場合には桟側の側縁部６のみが明瞭に区画されることはない。（裏面からは目視した場合には後述するように桟側の側縁部６は区画され得る）。
このような左右方向の構成とは別に平瓦１の棟側を向いた後端寄りが尻側とされ軒側を向いた先端寄りが頭側とされている。尻及び頭は平瓦１において画一的に区切られるものではないが、本実施の形態１では上位の屋根瓦１が下位の屋根瓦１とオーバーラップする図１におけるＰ部分付近を尻部７とし、このＰ部分とオーバーラップするＱ部分付近を頭部８とする。頭部８側は先端ほど下垂して湾曲部９とされている。
【００１２】
瓦本体３は平面略正方形形状の外観を呈する略一定の肉厚に形成された板体とされる。図２に示すように、瓦本体３の裏面には屋根の流れ方向に沿って３本の補強リブ１０が形成されている。また、補強リブ１０と平行して桟側の側縁部６を区画する境界リブ１１が形成されている。つまり、裏面から目視した場合には瓦本体３のの一部をなす桟側の側縁部６の目視が可能となっている。図５〜図７に示すように、瓦本体３の肉厚に対して桟側の側縁部６においては若干薄肉に構成されている。これは桟側の側縁部６が雨水流下部４（衿側の側縁部５）の上面に載置されるためその雨水流下部４の厚みに対応させて構成されたものである。
図１に示すように、瓦本体３の上面には同表面を基準面として上方に向かって突起体としての多数の球状凸部１３が瓦本体３と一体的に形成されている。球状凸部１３は球体の一部を水平に切断した形状とされている。球状凸部１３は桁行き方向に７個、屋根の流れ方向に５個の計３５個が整然と配列されている。各球状凸部１３は桁行き方向に一定間隔で配置されるとともに、屋根の流れ方向においても一定間隔で配置され瓦本体３の上面全域に広く点在させられている。また、本実施の形態ではすべての球状凸部１３は同形状であるため基準面からの突起量はすべて同じである。この結果、屋根の流れ方向を縦方向として左右方向に７つの球状凸部１３の縦列が配列されることとなる。これら縦列を図８における左方から順に第１〜第７の縦列１５Ａ〜１５Ｇとする。瓦本体３の上面であって隣接する各縦列１５Ａ〜１５Ｇの間には雨水が流れる雨水流路１６が形成される。雨水流路１６は尻側から頭側にかけて形成される平面通路であって、平瓦１を葺いた状態で傾斜状に配置されることから雨水を速やかに流下させることが可能な領域とされる。
瓦本体３の桁行き方向中央位置にはちょうど中央の列に相当する第４の縦列１５Ｄが配置されている。
【００１３】
瓦本体３の上面であって左右の側端部３ａ，３ｂ寄りには屋根の流れ方向に沿って延出される第１の隆起部１７が形成されている。図５〜図７に示すように、第１の隆起部１７は棟側では隆起せずに瓦本体３の上面と面一に構成され、軒側に向かうほど徐々に隆起するように構成されている。
瓦本体３の桁行き方向中央位置を含む領域であって第４の縦列１５Ｄの最も下方位置にある球状凸部１３ｐの更に前方位置には上方に隆起した第２の隆起部１８が形成されている。第２の隆起部１８は桁行き方向においては中央位置が最も高く、同位置から左右方向になだらかに傾斜しており、屋根の流れ方向においては瓦本体３の湾曲部９の基端位置が最も高く、同位置から後方に向かってなだらかに傾斜している。
尻部７側の後端位置には左右方向に沿って瓦本体３に対して段違いとなるよう隆起した段差部１９によってモザイク状に縁取られた取り付け領域２０が形成されている。段差部１９の一部には釘穴２１が上面から裏面にかけて透設されている。図２に示すように、取り付け領域２０における瓦本体３の裏面側には左右一対の三角形形状の尻剣部２３が下方に向かって突出形成されている。
【００１４】
衿側の側縁部５としての雨水流下部４は隣接する瓦本体３の側端部３ａに沿って前後に延出される底板部２４と、底板部２４の外側縁沿って立設された側壁部２５と、底板部２４の後端縁に沿って立設された後壁部２６とから構成されている。雨水流下部４内には瓦本体３の側端部３ａと側壁部２５及び後壁部２６によって三方が包囲された浅い樋が構成されることとなる。その結果、瓦本体３から溢れ、雨水流下部４に至った雨水は流下して雨水流下部４前方から放出され下位の瓦本体３の表面に至る。
このように構成された屋根瓦１の瓦本体３の上面側には取り付け領域２０を除いて釉薬層Ｃが形成されている。釉薬層Ｃは平面部分（例えば雨水流路１６）には略均等厚みに形成され、突起した部分（例えば球状凸部１３）では傾斜に従って塗布の際に釉薬が若干垂れることからその厚みは不均等となる。
【００１５】
次にこのように構成された屋根瓦１によって屋根を葺き上げた際の屋根瓦１の作用について説明する。
まず、屋根瓦１の施工方法について説明する。図８に示すように、屋根瓦１の桁行き方向においては尻剣部２３をふき下地の上に配設された桟木３１に引っかけながら当該屋根瓦１の雨水流下部４（衿側の側縁部５）を隣接して配置された屋根瓦１の桟側の側縁部６の下面に挿入していく。また、釘穴２１から桟木３１に対して図示しない釘を打ち、強風や地震による屋根瓦１の浮き上がりの防止を図っている。そして、当該屋根瓦１の桟側の側縁部５の下面には次に葺かれる屋根瓦１の雨水流下部４（衿側の側縁部５）を挿入する。このようなオーバーラップによって雨水流下溝１５は常時桟側の側縁部５に被覆される。以下、次々と屋根瓦１の雨水流下部４（衿側の側縁部５）を隣接して配置された屋根瓦１の桟側の側縁部６の下面にオーバーラップさせて葺いていく。尚、葺設工程においてこれとは逆に雨水流下部４（衿側の側縁部５）の上から桟側の側縁部６で覆うようにすることも可能である。
一方、屋根の流れ方向においては図８に示すように先に軒側（下位）の屋根瓦１から葺いていく。下位の屋根瓦１の尻部７の上面に上位の屋根瓦１の頭部８をオーバーラップさせるとともに、下位の屋根瓦１の衿側及び桟側の側縁部５、６のオーバーラップ部分に上位の屋根瓦１の桁行き方向中央位置が配置されるように、つまり上位と下位の屋根瓦１が千鳥状に配置されるように葺き上げていく。
【００１６】
さて、このように葺かれた屋根瓦１においては球状凸部１３が瓦本体３の上面のほぼ全域に点在しているため、屋根職等の屋根に登って作業する作業者がこの球状凸部１３を足がかりとして、作業をすることが可能となる。
更に、このような屋根瓦１において降雨の際には雨水は図９に示すように下方に流れていくこととなる。尚、図９は屋根勾配と瓦本体３上の各構成部材の傾斜に基づく水の流下方向を示すものであって、その位置に降水すべてが必ずしもこのような流下履歴をたどるわけではない（雨滴は瓦本体３の上面に当接するとその落下エネルギーによって周囲に跳ね飛んだりするため）。
まず、雨水流路１６に至った雨水はそのまま雨水流路１６の傾斜（勾配）に従って速やかに流下していく。また、図９に示すように、第１〜第７の縦列１５Ａ〜１５Ｇの幅内に降雨した場合には雨水は次のように雨水流路１６に導かれる。まず、球状凸部１３上に落下した雨水は球状凸部１３の形状に沿って矢印で示すように扇状に拡がりながら瓦本体３の上面に流下する。上下の球状凸部１３の間に落下した雨水は矢印で示すように下方位置の球状凸部１３の周囲を迂回して左右に振り分けられて雨水流路１６に至る。
また、第４の縦列１５Ｄの幅内に落下した雨水は下位に配置される屋根瓦１の衿側及び桟側の側縁部５、６のオーバーラップ部分上方に配置されているためオーバーラップ部分に雨水が流下せず、第１及び第７の縦列１５Ａ，１５Ｇ側方の雨水流路１６ａ，１６ｂに導かれる。第２の隆起部１８位置に落下した雨水もオーバーラップ方向に流下せず第２の隆起部１８によって左右に振り分けられる。特に第４の縦列１５Ｄの左右の雨水流路１６を流下する雨水も第２の隆起部１８によって左右に振り分けられる。第２の隆起部１８によって振り分けられた雨水は下方に配置される屋根瓦１の第１及び第７の縦列１５Ａ，１５Ｇ側方の雨水流路１６ｃ，１６ｄに導かれることとなる。
また、第１及び第７の縦列１５Ａ，１５Ｇの幅内の降雨において特に側端部３ａ，３ｂ側に導かれる雨水は第１の隆起部１７によって側端部３ａ，３ｂ方向には流下せず第１の隆起部１７に沿って瓦本体３の下方に導かれることとなる。
【００１７】
このように構成することで本実施の形態１では次のような効果が奏される。
（１）球状凸部１３が瓦本体３の上面のほぼ全域にバランスよく点在しているため、屋根職等の屋根に登って作業する作業者がこの球状凸部１３を足がかりとして、作業をすることができるため、従来に比べて屋根上での作業がしやすくなる。
（２）球状凸部１３は屋根の流れ方向において整列し、第１〜第７の縦列１５Ａ〜１５Ｇが配列されることとなる。その結果、屋根の流れ方向に雨水流路１６が形成されることとなるため雨水が速やかに排出されることとなっている。
（３）特に雨水が浸入しやすい屋根瓦１のオーバーラップ部分の上位に配置される屋根瓦１では同オーバーラップ位置において第４の縦列１５Ｄが配置されている。そのため、オーバーラップ方向に雨水が流下しにくくなる。更に、第２の隆起部１８に降雨した雨水もオーバーラップ方向に流下せず第２の隆起部１８によって左右に振り分けられるため、オーバーラップ方向に雨水が流下しにくくなっている。
更に、第２の隆起部１８は第４の縦列１５Ｄの左右の雨水流路１６を流下してくる雨水をオーバーラップから離間した方向に導くこととなるため、これらによってより確実にオーバーラップ方向に雨水が流下するのを防止することができる。
（４）第１及び第７の縦列１５Ａ，１５Ｇの幅内の降雨において側端部３ａ，３ｂ側に導かれる雨水は第１の隆起部１７によって側端部３ａ，３ｂ方向には流下せず第１の隆起部１７に沿って下方に導かれるため、桁行き方向に隣接した屋根瓦１からオーバーラップ方向に雨水が浸入するのも極力防止されている。
（５）第１の隆起部１７は尻部７側では隆起していないので屋根の流れ方向におけるオーバーラップにおいて第１の隆起部１７が邪魔になることがない。
（６）球状凸部１３は円形の外周輪郭を有しているため瓦本体３の上面の上方から流下してくる雨水を左右に振り分けることができ、排水効果の点で優れている。
（７）球状凸部１３が瓦本体３の上面全域に整然と点在し、この球状凸部１３に釉薬層Ｃが形成されている。更に、球状凸部１３の釉薬層Ｃは球状凸部１３が球状であることから均等な厚みの釉薬層Ｃではなく、従って屋根瓦１の焼成によって窯変して光の加減で球状凸部１３が不均一に光沢を放つこととなるため意匠的に優れた外観を呈することとなる。
【００１８】
尚、この発明は、次のように変更して具体化することも可能である。
・上記実施の形態では瓦本体３の上面に球状凸部１３は球体の一部を水平に切断した形状とされていたが、突起体としてはこのような形状に限定されるものではない。
例えば、図１０及び図１１に示すように突起体を扁平な四角錐形状の四角錐凸部３３としてもよい。雨水を左右に振り分ける必要性から四角錐凸部３３の角部が上下方向に配置されることが好ましい。
実施の形態は図１３に示すように、桁行き方向中央に配置された第４の縦列１５Ｄのみを残し、他の球状凸部１３を整列させずにランダムに点在させるようにしても構わない。
この場合でも滑り止めの効果を備えるともに、下方に配置された屋根瓦１のオーバーラップ方向への雨水が流下の防止となる。
・上記実施の形態の球状凸部１３や図１０の四角錐凸部３３のような、上方からの雨水を左右に振り分けできるような形状が好ましく、雨水を左右に振り分けできるのであれば突起体は他の形状で構成しても構わない。
・上記実施の形態の屋根瓦１の瓦本体３には屋根瓦１の桁行き方向中央位置の頭部８寄り位置には上方に隆起した第２の隆起部１８が形成されていたが、図１２に示すように第２の隆起部１８の代わりに第４の縦列１５Ｄの最も下方位置にある球状凸部１３ｐの更に前方位置に流下してくる水を外方に導く左右２個の補助球状凸部３５を形成するようにしてもよい。第４の縦列１５Ｄの左右の雨水流路１６を流下する雨水は補助球状凸部３５によって左右に振り分けられるため、オーバーラップ方向に雨水が流下しにくくなっている。この補助球状凸部３５は他の形状、他の数（左右２個でなくともよい）で構成してもよく、上記第２の隆起部１８の上に形成するようにしてもよい。
・上記実施の形態では球状凸部１３は整然と配列されていたが、必ずしも整然と配列しなくとも構わない（すべてランダムに点在させる）。要は突起体を一部分だけに集中させずに瓦本体３の上面に広く点在させることができればよい。
・上記実施の形態では平瓦かつ洋瓦に応用した一例を説明したが、他の瓦、例えば和瓦に応用することも自由である。また、葺き方も上記実施の形態１のように千鳥状に葺いても流れ方向に直列に葺いても構わない。
その他本発明の趣旨を逸脱しない範囲で変更した態様で実施することは自由である。
【図面の簡単な説明】
【００１９】
【図１】本発明の実施の形態の屋根瓦の斜視図。
【図２】同じ屋根瓦の裏面側から見た斜視図。
【図３】図１のＡ−Ａ線における縦断面図。
【図４】図１のＢ−Ｂ線における縦断面図。
【図５】図１のＣ−Ｃ線における横断面図。
【図６】図１のＤ−Ｄ線における横断面図。
【図７】図１のＥ−Ｅ線における横断面図。
【図８】屋根瓦の施工途中における屋根面の部分平面図。
【図９】雨水の流下方向を示す説明図。
【図１０】他の実施の形態の突起体としての四角錐凸部の斜視図。
【図１１】本発明の他の実施の形態の屋根瓦の斜視図。
【図１２】本発明の他の実施の形態の屋根瓦の斜視図。
【図１３】本発明の他の実施の形態の屋根瓦の平面図。
【符号の説明】
【００２０】
１…屋根瓦、３…瓦本体、４…雨水流下部、５…衿側の側縁部、６…桟側の側縁部、１３…突起体としての球状凸部、３３…突起体としての四角錐凸部。
【図１】
2007046401.tif 000003
【図２】
2007046401.tif 000004
【図３】
2007046401.tif 000005
【図４】
2007046401.tif 000006
【図５】
2007046401.tif 000007
【図６】
2007046401.tif 000008
【図７】
2007046401.tif 000009
【図８】
2007046401.tif 000010
【図９】
2007046401.tif 000011
【図１０】
2007046401.tif 000012
【図１１】
2007046401.tif 000013
【図１２】
2007046401.tif 000014
【図１３】
2007046401.tif 000015